(57)【要約】      （修正有）【課題】ゴルフクラブは、微妙なバランスでスイングが変わるため、練習にもコースでのプレーにも同一クラブでスイングの軌道が分かるゴルフクラブを提供する。【解決手段】クラブヘッドに金属製の光反射性の高さ１ｍｍ以上７ｍｍ以下で底面の面積が３平方センチメートル以下の山型のふくらみを１から５個付けることで、スイング時、天頂から水平線までのあらゆる方向の光源の反射光がふくらみに映り、スイングの軌道が残像となってプレーヤーがリアルタイムにスイングの軌道を確かめながらプレーが可能となる。【選択図】図３
0003195004.tif 000002
【実用新案登録請求の範囲】
【請求項１】
ゴルフクラブのクラブヘッド上面に、表面が光反射性で高さ１ｍｍ以上、７ｍｍ以下、底面の面積が3平方センチ以下である山型のふくらみを付けたゴルフクラブで、山型のふくらみの頂上を通る鉛直線の周囲の水平角360度方向に向いた表面が、プレーヤー側では、山型の頂上部で0度、頂上部以外で０度から50度以上までの全ての仰角の法線を持つ反射面からなり、プレーヤー側以外の方向に向いた表面では、頂上部で0度、頂上部以外で0度から19度以上の全ての仰角の法線を持つ反射面からなる、反射面が光反射性の金属からなっている山型のふくらみを１から５個付けたゴルフクラブ
【考案の詳細な説明】
【技術分野】
【０００１】
本考案は、スイングした時のヘッドの軌道が分かるゴルフクラブに関する。
【背景技術】
【０００２】
ゴルフでは、スイングの軌道がボールのコントロールに影響する。特にウッドの１番など長いクラブでは、飛距離が長い分コントロールが難しく、練習でうまくなりにくいのが常であった。従来、練習用には、ゴルフクラブのスイングの軌道が分かる練習器具が種々考えられてきた（特許文献１、２、３）。これには、大掛かりな軌道追跡装置や、ゴルフクラブにLED照明を付けたものなどがある。しかし、これらは練習時は使えるが、実際にゴルフ場でのプレーには、持ち歩けなかったり、ボールを打つ衝撃に耐えられない等のものであった。しかし、ゴルフスイングは、クラブの重さ、ヘッドのバランス、シャフト長さ等、微妙な要因で変わることから、練習専用のクラブで練習しても、プレーで違うクラブを使うと、練習の成果が出ない問題が有った。また、練習用とプレー用の2本のクラブを買うのも費用が掛かる問題が有った。練習時も、ゴルフ場のプレー時も、同じクラブでスイング軌道が分かるゴルフクラブが有ることが好ましいが、そのようなクラブは発明されていなかった。本考案は、３９インチより長いクラブ、すなわち、アイアンの３番やウッド全般に光反射性の部分を付けて、練習でも、プレー時でも使えるスイングの軌道が分かる様にしたゴルフクラブに関わるものである。
【先行技術文献】
【特許文献】
【０００３】
【特許文献１】登録実用新案第３０１３４２号
【特許文献２】登録実用新案第３１２８９１８号
【特許文献３】登録実用新案第３１７４９９１号
【非特許文献】
【０００４】
【非特許文献１】株式会社ALBA発行、アルバトロス・ビュー  ２０１３年１２月２６日号  ３６ページ
【非特許文献２】株式会社ALBA発行、アルバトロス・ビュー  ２０１３年１２月１２日号  １３９ページ
【非特許文献３】株式会社ALBA発行、アルバトロス・ビュー  ２０１３年８月２２日号  ７７ページ
【非特許文献４】株式会社ALBA発行、アルバトロス・ビュー  ２０１３年４月１１日号  ６８ページ
【非特許文献５】株式会社ALBA発行、アルバトロス・ビュー  ２０１３年１１月２８日号  ２８ページ
【非特許文献６】株式会社ALBA発行、アルバトロス・ビュー  ２０１３年８月８日号  ２３ページ
【非特許文献７】株式会社ALBA発行、アルバトロス・ビュー  ２０１３年１２月１２日号  ７７ページ
【非特許文献８】株式会社ALBA発行、アルバトロス・ビュー  ２０１４年９月２６日号  １１３ページ
【非特許文献９】株式会社ALBA発行、アルバトロス・ビュー  ２０１３年１１月２２日号  ３７ページ
【非特許文献１０】株式会社ALBA発行、アルバトロス・ビュー  ２０１３年１０月２４日号  ３１ページ
【非特許文献１１】株式会社ALBA発行、アルバトロス・ビュー  ２０１３年９月１２日号２１ページ
【非特許文献１２】株式会社ALBA発行、アルバトロス・ビュー  ２０１３年９月２６日号１２４ページ
【非特許文献１３】株式会社ALBA発行、アルバトロス・ビュー  ２０１３年９月２６日号１２５ページ
【非特許文献１４】株式会社ALBA発行、アルバトロス・ビュー  ２０１３年４月１１日号６８ページ
【非特許文献１５】株式会社ALBA発行、アルバトロス・ビュー  ２０１３年４月１１日号３３ページ
【非特許文献１６】株式会社ALBA発行、アルバトロス・ビュー  ２０１３年５月９日号２９ページ
【考案の概要】
【考案が解決しようとする課題】
【０００５】
解決しようとする課題は、長いゴルフクラブ、すなわちアイアンの３番以上とウッドを含む３９インチ＝９９ｃｍ以上の長いクラブについて、練習時も、ゴルフ場でのプレー時も使える、スイングした時のヘッドの軌道が分かるゴルフクラブが無かった問題を解消することである。特に飛距離が大きくコントロールが要求されるウッドの１から5番のクラブやアイアンの１から３番のクラブに光反射性のふくらみを付けることでスイングの軌道を確認しながらプレー出来る。
【課題を解決するための手段】
【０００６】
本考案は、ゴルフクラブに光反射部分を付けてスイングの軌道を知る技術に関する。ゴルフはスコアを競う遊びであるが、ドライバーなどのクラブでボールを遠くに飛ばすのもそれ自体楽しい遊びである。しかし、ゴルフでは長いクラブを使うほど飛距離が伸びる代わりに、スイングが曲がりやすくなり、方向のコントロールが難しくなる。本考案は、ウッド等の飛距離の長いクラブのクラブヘッドに光反射性の部分を付けることで、昼間の太陽や、夜間の外灯の光をうまく反射できれば、クラブを振ったとき、反射光の残像が目に残ってスイングの軌道が明確になり、スイングの迷いが改善し、遠くへコントロール良く飛ばすことで、ゴルフの楽しみを増すことが出来るクラブの考案に関するものである。反射光が常に見えるためには、スイング中、光源がどの方向に有っても反射光が目に入るように、多数の傾きを持った反射面が必要である。反射の法則から、反射光が目に入るためには、光源とプレーヤーの目と反射面の法線が同一平面上に有り、その平面上で光源と反射面を結ぶ直線と反射面の法線との角度が、光源と反射面を結ぶ直線に対する反射面と目を結ぶ直線の間の角度の半分で有れば良い。以下、反射面としてクラブヘッド上面に小さな光反射性のふくらみを付けることを考え、光源とふくらみ上の反射面を結ぶ直線を光入射線、プレーヤーの目とふくらみ上の反射面を結ぶ直線を目視線と略す。図１の如く、目視線の鉛直線に対する仰角をα度とし、ふくらみは十分小さくαは一定とする。光入射線の傾きと反射面の法線の傾きを、目視線をｚ軸とする極座標で考える。反射の法則から、クラブヘッド上のふくらみを通る光入射線のｚ軸に対する傾きをθ度、反射面の法線のz軸に対する傾きをθ／２度とし、ｚ軸の周囲３６０度方向の角度をφ度、クラブヘッドに対してプレーヤーの足元方向をφ=0度とする。太陽や外灯等の光源はφが０から３６０度全ての方向で天頂から水平線までの全ての方向をとれる。水平線方向からの光入射線の目視線に対する傾きθはφによって変わり、９０−arcsin(sinα×cosφ）度で表される。クラブヘッドに付けた反射面の法線の傾きが、θmax＝４５ーarcsin(sinα×cosφ）／２度であれば、水平入射光の反射光が目に入ることになる。全ての方向の光の反射光が目に入るためには、φが０から３６０度全ての方向で、反射面の法線の傾きθが０からθmax度の全ての傾きの法線を持つ反射面を持っていれば良い。これには、クラブヘッドの上面に表面を光反射性とした山型のふくらみを付け、その表面が例えば球面、あるいは楕円球面などで、反射面の法線の傾きθが０からθmax度の全ての傾きの法線を持っていればこの条件を満たす。目視線に対する傾きθmaxを鉛直線に対する傾きで表すと、φ＝０度のときのθmaxは４５−（α／２）度であるが、鉛直線に対する傾きは４５＋(α／２）度と最大になり、φ＝１８０度のときθmaxは４５＋(α／２）度であるが、鉛直線に対する傾きは４５−(α／２）度と最小になる。反射面法線は目視線と水平線方向の角の２等分線であるから、当然、φが０から１８０度に増すにつれて、また、３６０度から１８０度まで減るにつれて、鉛直線に対する傾きは減り、反射面の法線の鉛直線に対する傾きは０度から最低４５ー(α／２）度以上、少なくともプレーヤー側で��４５＋(α／２）度以上の傾きを持っている必要が有る。αのおおよその値は、図２と表１は、ゴルフ雑誌（ALBA社発行、アルバトロス・ビュー２０１３年）の写真から求めたものであるが、身長１６５ｃｍから１８５ｃｍまでのプロゴルフプレーヤーの目視線の仰角とクラブシャフトの長さの、おおよその関係を調べて、１１５ｃｍの長さのクラブシャフトを使った場合、目視線の仰角αは２８±３度と変化が少ないのに対し、クラブシャフトの長さが９９ｃｍまで短くなるとαは１７度付近まで小さくなる。一般の身長のプレーヤーを対象に、飛距離の大きいシャフト長９９ｃｍ以上のクラブを使うことを考え、αは最大３２度と考えると、反射面の法線の鉛直線に対する傾きは、プレーヤー側で６１度以上必要であり、プレーヤーの反対側では反射面の法線は最低２９度必要である。以下、水平角０度の方向をクラブヘッドに対しプレーヤーの方向とすると、水平角０度の方向で反射面の法線の仰角が６１度以上で、水平角０度以外の０から３６０度の全ての方向で２９度以上の仰角の反射面を持った山型のふくらみを付けるのが好ましい事になる。ただし、日が沈む寸前や、練習場で水平方向の光までは利用しないと考え、おおよその反射面の要件を考えると、最低、水平角０度の方向で反射面の法線の仰角が５０度程度で、水平角０度以外の０から３６０度の全ての方向で反射面の法線の仰角が１９度以上程度のふくらみでも可能である。ここで使ったαの値の精度は低いが、実用上の要件としてはこの程度で十分である。このような光反射性のふくらみの反射面は球面や、楕円球面でも良いが、正確に球面をしていなくても良い。また、多少不連続な傾斜を集めたミラーボール(図５）の様な反射面でも良い。
反射面をクラブヘッドに付けるためには、反射面に水平方向からの光が入射する必要のため、ふくらみをクラブヘッドの最上部に付ける必要が有り、プレーヤーがアドレスした時のクラブヘッドの上面の水平に近い部分、または、ヘッドの上面を水平に近くデザインしたクラブにふくらみを付ける（図３）事が必要になる。アドレスした時のクラブヘッド上面の最高部または水平部については、プレーヤーの身長と、クラブシャフトの長さで推定される目視線の傾きからほぼ決める事が出来る。クラブヘッド上面全体をこのような光反射性のふくらみにしても良いが、好ましくは従来のクラブヘッド上面に小さめの光反射性のふくらみを付けたものが反射面の位置の変化を起こさないために好ましく、ふくらみの底面の大きさは3平方ミリメートル以上3平方センチメートル以下程度が良く、クラブヘッド上面からのふくらみの高さも、水平光を受けやすいために、１ｍｍ以上であることが好ましいが、事故を避ける意味で７ｍｍ以上もヘッドから突き出ていない方が好ましい。
光反射性のふくらみは数個付けても良い。2個あるいは3個一列に付ければ（図４）、スイングの軌道の他に、スイング中ヘッドがスイング方向を向いて振れているかを確認するのに役立つ。
本考案は、特に飛距離の大きいウッドや金属ドライバーなどのクラブに適用するものであるが、飛距離の大きいロングアイアン等、シャフト長さ９９ｃｍ以上のクラブに本考案の光反射性のふくらみを付けても良い。クラブヘッドに付けるふくらみは強度から見て、金属からなるものが良く、反射の高いアルミ、ステンレス、亜鉛、錫、金、銀、白金、銅、ニッケル等の金属でも良いが、表面にメッキして反射性を高めたものでも良く、その表面が傷つかないようハードコートなどの塗膜を付けても良い。
【表１】
0003195004.tif 000003
【考案の効果】
【０００７】
本考案のゴルフクラブを使えば、練習時も、ゴルフ場でのプレーでも、スイング時ヘッドの軌道がリアルタイムにチェック出来、スタンスの曲がりや、フェースの曲がりなど、あれこれ悩む必要が無くなり、プレーに集中出来、また、スイングの軌道が分かる事で、困難なフックボールやスライスボールなどもチェックしながら打てて、ゴルフの楽しみが上がる。
【図面の簡単な説明】
【０００８】
【図１】クラブヘッドを原点、目視線をz軸とする極座標に於ける光入射線、反射面の法線の角度などを表す
【図２】シャフトの長さとプレーヤーの目視線の角度の関係
【図３】上面を平面としたヘッドに付けたふくらみ
【図４】上面を平面としたヘッドにふくらみを2個付けた図
【図５】ミラーボール状のふくらみ
【産業上の利用可能性】
【０００９】
ゴルフクラブ上面に光反射性のふくらみを付けることで、周囲に光源が有れば、クラブをスイングした時、ふくらみの反射光でクラブヘッドの軌道が分かる。これによって、自分のスイングが思うとおり出来ているか判断でき、練習の効果が上がり、プレー中もプレーに集中できる。
【符号の説明】
【００１０】
α：目視線の仰角  θ：クラブヘッドに入射する光入射線や反射面の法線の目視線に対する角度  φ：目視線の周囲３６０度方向の角度
【図１】
0003195004.tif 000004
【図２】
0003195004.tif 000005
【図３】
0003195004.tif 000006
【図４】
0003195004.tif 000007
【図５】
0003195004.tif 000008
【手続補正書】
【提出日】平成26年10月22日(2014.10.22)
【手続補正１】
【補正対象書類名】実用新案登録請求の範囲
【補正対象項目名】請求項１
【補正方法】変更
【補正の内容】
【請求項１】
ゴルフクラブのクラブヘッド上面に、表面が光反射性で高さ１ｍｍ以上７ｍｍ以下、底面の面積が３平方センチメートル以下である山型のふくらみを付けたゴルフクラブで、プレーヤーがアドレスでクラブを構えた状態のとき、山型のふくらみの周囲の水平角３６０度方向に向いた反射面のうち、プレーヤー側の反射面は、法線の鉛直線に対する傾きが０度以上A度以下の全ての傾きを持つ反射面からなり、プレーヤー側以外の方向を向いた反射面は、法線の鉛直線に対する傾きが０度以上、B度以下の全ての傾きを持つ反射面からなり、Aが５０以上、Bが１９以上である、反射面が光反射性の金属からなる山型のふくらみを１から５個付けたゴルフクラブ